(57)【要約】【課題】パッキンの一部の脱落及び／又は変形による扉等の密閉力（平均加圧力）の低下を容易に確認できる感圧配光制御装置を提供する。【解決手段】扁平筒状透明パッキン１の底部中央部のＺ軸方向の凹部に導光板２が埋込まれている。導光板２の先端に発光ダイオード（ＬＥＤ）パッケージ３が設けられている。ＬＥＤパッケージ３からの光は導光板２の側端面から導光板２のＹ軸方向へ入射し、その先端傾斜面を反射して導光板２内部のＺ軸方向に入射し、導光板２内を乱反射しながら扁平筒状透明パッキン１のＸ軸方向へ屈折光として均一に入射される。導光板２に対向して扁平筒状透明パッキン１の下側内部には固定プリズム１１ａ、１１ｂが形成されている。扁平筒状透明パッキン１の上側内部には、移動光学部としての移動プリズム１２ａ、１２ｂがＺ軸方向に形成されている。【選択図】  図１
2019087355.tif 000002
【特許請求の範囲】
【請求項１】
扁平筒状透明パッキンと、
前記扁平筒状透明パッキンの第１の面の外側に設けられた導光板と、
前記導光板の一端に設けられた発光素子と
を具備し、
前記扁平筒状透明パッキンは、
前記第１の面の内側に前記導光板に対向して設けられた固定プリズムと、
前記扁平筒状透明パッキンの前記第１の面の反対側の第２の面の内側に設けられ、前記扁平筒状透明パッキンの負荷状態に応じて移動するための移動光学部と
を有し、
前記扁平筒状透明パッキンの前記第１、第２の面の間の負荷状態に応じて前記扁平筒状透明パッキンの配光状態を制御する感圧配光制御装置。
【請求項２】
前記扁平筒状透明パッキンの無負荷状態のときに前記導光板からの光は前記固定プリズムを介して直接外部に出射し、前記扁平筒状透明パッキンの負荷状態のときに前記導光板の光は前記固定プリズム及び前記移動光学部を介して外部へ出射するようにした請求項１に記載の感圧配光制御装置。
【請求項３】
前記固定プリズムは、
前記導光板からの光を反射するための傾斜面と、
前記傾斜面から反射された光を出射するための凸状面、垂直面又は複数の凸レンズ面と
を有する請求項１に記載の感圧配光制御装置。
【請求項４】
前記移動光学部は前記固定プリズムの出射面に対向したときに該固定プリズムからの光を入射して外部へ出射するための移動プリズムである請求項１に記載の感圧配光制御装置。
【請求項５】
前記移動光学部は、
前記固定プリズムからの光を入射するための垂直面と、
前記垂直面から反射した光を出射するための複数の凸レンズ面と
を有する請求項１に記載の感圧配光制御装置。
【請求項６】
前記移動光学部は相異なる構成を有する複数段よりなり、前記各段は、
前記固定プリズムからの光を入射するための垂直面と、
前記垂直面から反射された光を出射するための凸状面、複数の凸レンズ面又は傾斜面と
を有する請求項１に記載の感圧配光制御装置。
【請求項７】
前記移動光学部はシェードである請求項１に記載の感圧配光制御装置。
【発明の詳細な説明】
【技術分野】
【０００１】
本発明は扉開閉検出装置等として用いられる感圧配光制御装置に関する。
【背景技術】
【０００２】
一般に、冷蔵庫の扉等には扉の開閉時の密封のためにパッキンが設けられているので、たとえば作業者はパッキンが均一に加圧されているか否かを確認する必要がある。他方、冷蔵庫の扉等には、扉の開閉を検出するためのスイッチとして機械的スイッチ又はマグネット及び磁気センサよりなる磁気的スイッチがある（参照：特許文献１）。従って、従来、パッキンが均一に加圧されているか否かを上述のスイッチで行っている。
【先行技術文献】
【特許文献】
【０００３】
【特許文献１】特開平５−２６４１６３号公報
【発明の概要】
【発明が解決しようとする課題】
【０００４】
しかしながら、上述の従来のスイッチでは、扉の１点位置で扉の開閉を検出しているので、パッキンの一部の脱落及び／又は変形による扉の密閉力（平均加圧力）の低下を検出できないという課題がある。
【０００５】
また、多点加圧式のドアの場合、閉め忘れによるドアの傾きを検出するには、スイッチを多数設ける必要があり、この結果、製造コストの上昇を招くという課題もある。
【課題を解決するための手段】
【０００６】
上述の課題を解決するために、本発明に係る感圧配光制御装置は、扁平筒状透明パッキンと、扁平筒状透明パッキンの第１の面の外側に設けられた導光板と、導光板の一端に設けられた発光素子とを具備し、扁平筒状透明パッキンは、第１の面の内側に導光板に対向して設けられた固定プリズムと、扁平筒状透明パッキンの第１の面の反対側の第２の面の内側に設けられ、扁平筒状透明パッキンの負荷状態に応じて移動するための移動光学部とを有し、扁平筒状透明パッキンの第１、第２の面の間の負荷状態に応じて扁平筒状透明パッキンの配光状態を制御するものである。
【発明の効果】
【０００７】
本発明によれば、パッキン自身の配光状態で扉等の開閉を検出できるので、パッキンの一部の脱落及び／又は変形による扉等の密閉力（平均加圧力）の低下を作業者の目視で容易に確認できる。また、多点加圧式ドアの場合でも、スイッチ数の増加はない。さらに、ドア、扉等の挟み込みの注意喚起に寄与することもできる。
【図面の簡単な説明】
【０００８】
【図１】本発明に係る感圧配光制御装置の第１の実施の形態を示す斜視図であり、（Ａ）は無負荷状態を示し、（Ｂ）は負荷状態を示す。
【図２】図１の動作を説明するための断面図であり、（Ａ）は無負荷状態を示し、（Ｂ）は負荷状態を示す。
【図３】図１の固定プリズムの変更例を示す斜視図である。
【図４】図１の移動光学部の変更例を示す斜視図である
【図５】本発明に係る感圧配光制御装置の第２の実施の形態を示す断面図である。
【図６】図５の動作を説明するための断面図である。
【図７】本発明に係る感圧配光制御装置の第３の実施の形態を示す断面図であり、（Ａ）は無負荷状態を示し、（Ｂ）は負荷状態を示す。
【発明を実施するための形態】
【０００９】
図１は本発明に係る感圧配光制御装置の第１の実施の形態を示す斜視図であり、（Ａ）は無負荷状態を示し、（Ｂ）は負荷状態を示す。
【００１０】
図１において、扁平筒状透明パッキン１はたとえばシリコーンゴムを用いたインサートモールド成形によって形成される。扁平筒状透明パッキン１の底部中央部のＺ軸方向の凹部に導光板２が埋込まれている。尚、導光板２は必ずしも扁平筒状透明パッキン１に埋込まれている必要はない。扁平筒状透明パッキン１から露出した導光板２の先端に発光ダイオード（ＬＥＤ）パッケージ３が設けられている。尚、ＬＥＤパッケージ３はＬＥＤ素子でなく他の発光素子を用いてもよく、光の導光板２への入射方向も図示に限定されない。導光板２の外面側には反射板（図示せず）、内面側には拡散板（図示せず）が設けられ、必要に応じて導光板２の外面側にはドットパターン（図示せず）が塗布されている。従って、ＬＥＤパッケージ３からの光は導光板２の側端面から導光板２のＹ軸方向へ入射し、その先端傾斜面を反射して導光板２内部のＺ軸方向に入射する。導光板２のＺ軸方向へ入射した光は導光板２内を乱反射しながら扁平筒状透明パッキン１のＸ軸方向へ屈折光として均一に入射される。
【００１１】
導光板２に対向して扁平筒状透明パッキン１の下側内部には、固定プリズム１１ａ、１１ｂが形成されている。固定プリズム１１ａ、１１ｂは、導光板２からのＸ軸方向の光を反射させるための傾斜面１１１及び傾斜面１１１から反射されたＹ軸方向の光を扁平筒状透明パッキン１のＹ軸方向の内部空間に出射させるための集光作用をなすＺ軸方向に設けた凸状面（凸レンズ面）１１２を有する。尚、凸状面112はＺ軸方向に沿った集光作用がない垂直面でもよい。
【００１２】
また、扁平筒状透明パッキン１の上側内部には、移動光学部としての移動プリズム１２ａ、１２ｂがＺ軸方向に形成されている。移動プリズム１２ａ、１２ｂは固定プリズム１１ａ、１１ｂから出射されたＹ軸方向の光を入射するための垂直面１２１及び垂直面１２１から入射したＹ軸方向の光を扁平筒状透明パッキン１のＸ軸方向の外部空間へ反射させるための傾斜面１２２を有する。
【００１３】
たとえば、扉の開放等による図１の（Ａ）に示す無負荷状態においては、移動プリズム１２ａ、１２ｂは固定プリズム１１ａ、１１ｂに対向していない。従って、導光板２から固定プリズム１１ａ、１１ｂへ入射した光は扁平筒状パッキン１の両端から横方向連続配光領域（照射領域）Ｌ１ａ、Ｌ１ｂ（図１の（Ａ）ではＬ１ｂのみ図示）を形成する。すなわち、図２の（Ａ）に示すごとく、ＬＥＤパッケージ３からの光は導光板２の上面から出射して固定プリズム１１ａ、１１ｂの各傾斜面１１１で反射されて凸状面１１２を通過する。凸状面１１２を通過した光は扁平筒状透明パッキン１の側壁を透過して扁平筒状透明パッキン１の横方向連続配光領域（照射領域）Ｌ１ａ、Ｌ１ｂを形成する。
【００１４】
他方、扉の閉鎖等による図１の（Ｂ）に示す上下方向の押圧による負荷状態においては、扁平筒状パッキン１はさらに扁平となり、移動プリズム１２ａ、１２ｂは固定プリズム１１ａ、１１ｂに対向する。この場合、導光板２から固定プリズム１１ａ、１１ｂに入射した光は扁平筒状透明パッキン１の上面から縦方向連続配光領域（照射領域）Ｌ２ａ、Ｌ２ｂ（図１（Ｂ）では、Ｌ２ｂのみ図示）を形成する。すなわち、図２の（Ｂ）に示すごとく、ＬＥＤパッケージ３からの光は導光体２の上面から出射して固定プリズム１１ａ、１１ｂの各傾斜面１１１で反射され、凸状面１１２を通過する。さらに、固定プリズム１１ａ、１１ｂの凸状面１１２を通過した光は移動プリズム１２ａ、１２ｂの各垂直方向１２１を通過し、各傾斜面１２２で反射する。各傾斜面１２２で反射した光は扁平筒状透明パッキン１の上面壁を透過して扁平筒状パッキン１の縦方向連続配光領域（照射領域）Ｌ２ａ、Ｌ２ｂを形成する。尚、縦方向連続配光領域（照射領域）Ｌ２ａ、Ｌ２ｂは、通常、扉等に吸収されて観察されず、扉等が透明な場合のみ観察される。
【００１５】
このように、図１の感圧配光制御装置を冷蔵庫の扉パッキンとして用いると、扉が完全に開放されて無負荷状態となり、横方向連続配光領域Ｌ１ａ、Ｌ１ｂが観察され、また、扉が完全に閉鎖されて負荷状態となると、縦方向連続配光領域Ｌ２ａ、Ｌ２ｂが形成されるが、通常は、扉等によって吸収されて観察されず、さらに、扉の半開きのときには、その半開きの程度に応じた横方向連続配光領域Ｌ１ａ、Ｌ１ｂが観察される。さらにまた、パッキンの一部脱落及び又は変形があると、不均一な横方向連続配光領域Ｌ１ａ、Ｌ１ｂが観察され、作業者によって容易に視認できる。
【００１６】
図３は図１の固定プリズム１１ａ、１１ｂの変更例を示す斜視図である。
【００１７】
図３においては、図１の固定プリズム１１ａ、１１ｂの代わりに、固定プリズム１１'ａ、１１'ｂを設ける。固定プリズム１１'ａ、１１'ｂにおいては、固定プリズム１１ａ、１１ｂの凸状面１１２の代わりに、Ｚ軸方向に沿った複数の凸レンズ面１１２'を設けてある。従って、図１の（Ａ）、図２の（Ａ）に示すＬ１ａ、Ｌ１ｂは横方向島状配光領域となる。これにより、扉が完全に開放されて無負荷状態となると、横方向島状配光領域が観察され、他方、扉が完全に閉鎖されて負荷状態となると、縦方向島状配光領域（但し、通常は扉等によって吸収されて観察されない）となり、両者は確実に区別できる。また、扉の半開き、パッキンの一部の脱落／変形もこれに応じた横方向島状配光領域によって容易に視認できる。尚、図３の固定プリズム１１'ａ、１１'ｂは扁平筒状透明パッキン１として一体成型される。
【００１８】
図４は図１の移動光学部の変更例を示す斜視図である。
【００１９】
図４においては、図１の移動プリズム１２ａ、１２ｂの代わりに、移動光学部１２'ａ、１２'ｂを設ける。移動光学部１２'ａ、１２'ｂにおいては、移動プリズム１２ａ、１２ｂの傾斜面１２２の代わりに、Ｚ軸方向に沿った複数の凸レンズ面１２２'を設けてある。従って、扉が完全に閉鎖されて負荷状態になると、縦方向連続配光領域Ｌ２ａ、Ｌ２ｂは横方向島状配光領域となる。これにより、扉が完全に開放されて無負荷状態となると、横方向連続配光領域が観察され、他方、扉が完全に閉鎖されて負荷状態となると、横方向島状配光領域となり、両者は確実に区別できる。また、扉の半開き、パッキンの一部の脱落／変形もこれに応じた横方向島状配光領域によって容易に視認できる。尚、移動光学部１２'ａ、１２'ｂは、図４の（Ａ）に示すごとく、扁平筒状透明パッキン１として一体成型することも、図４の（Ｂ）に示すごとく、扁平筒状透明パッキン１の本体と別体で形成し、本体に形成された溝１３ａ、１３ｂに嵌め込んでもよい。
【００２０】
図５は本発明に係る感圧配光制御装置の第２の実施の形態を示す斜視図である。
【００２１】
図５においては、固定プリズム１１ａ、１１ｂは扁平筒状透明パッキン１の中央少し下側に位置する。他方、移動光学部１２”ａ、１２”ｂは扁平筒状透明パッキン１の中央部より上部に位置した３段構成であり、１段目は固定プリズム１１ａ、１１ｂから出射された光を入射するための垂直面１２１−１及び２個の凸状面１２２−１よりなり、２段目は固定プリズム１１ａ、１１ｂから出射された光を入射するための垂直面１２１−２及び１列の複数の凸レンズ面１２２−２よりなり、３段目は固定プリズム１１ａ、１１ｂから出射された光を入射するための垂直面１２１−３及び傾斜面１２２−３よりなる。つまり、３段目はプリズム構成である。従って、１段目、２段目は光を扁平筒状透明パッキン１のＹ軸方向の外部空間に出射し、３段目は光を扁平筒状透明パッキン１のＺ軸方向の外部空間に出射する。
【００２２】
図６は図５の動作を説明するための断面図である。
【００２３】
図６の（Ａ）では、扉が完全に開放されて無負荷状態である。この場合、固定プリズム１１ａ、１１ｂからの光は扁平筒状透明パッキン１のＹ軸方向の外部に１本の横方向連続配光領域Ｌ１ａ、Ｌ１ｂが観察される。
【００２４】
図６の（Ｂ）では、扉が少し閉鎖されて小負荷状態となる。この場合、移動光学部１２”ａ、１２”ｂの１段目が固定プリズム１１ａ、１１ｂに対向し、この結果、扁平筒状透明パッキン１のＹ軸方向の外部に２本の横方向連続配光領域Ｌ１ａ−１、Ｌ１ｂ−１が観察される。
【００２５】
図６の（Ｃ）では、扉がさらに閉鎖されて中負荷状態となる。この場合、移動光学部１２”ａ、１２”ｂの２段目が固定プリズム１１ａ、１１ｂに対向し、この結果、扁平筒状透明パッキン１のＹ軸方向の外部に１列の横方向島状配光領域Ｌ１ａ−２、Ｌ１ｂ−２が観察される。
【００２６】
図６の（Ｄ）では、扉が完全に閉鎖されて大負荷状態となる。この場合、移動光学部１２”ａ、１２”ｂの３段目が固定プリズム１１ａ、１１ｂに対向し、この結果、扁平筒状透明パッキン１のＸ軸方向の外部に縦方向連続配光領域Ｌ２ａ、Ｌ２ｂが形成されるが、通常は、扉等によって吸収されて観察されない。
【００２７】
このように、図６においては、扉の閉鎖度に応じて観察される配光領域が変化する。尚、移動光学部１２”ａ、１２”ｂの段数は３段としたが、他の段数２又は４以上になし得る。
【００２８】
図７は本発明に係る感圧配光制御装置の第３の実施の形態を示す断面図であり、（Ａ）は無負荷状態を示し、（Ｂ）は負荷状態を示す。
【００２９】
図７においては、図１の移動プリズム１２ａ、１２ｂの代りにシェード１４ａ、１４ｂを設ける。シェード１４ａ、１４ｂには、柄、文字（たとえばＬＯＣＫ）等の模様を描いてある。シェード１４ａ、１４ｂも扁平筒状透明パッキン１として一体成型される。
【００３０】
図７の（Ａ）に示すごとく、扉が完全に開放されて無負荷状態となると、図１の場合と同様に、横方向連続配光領域Ｌ１ａ、Ｌ１ｂが観察される。他方、図７の（Ｂ）に示すごとく、扉が完全に閉鎖されて負荷状態となっても、横方向連続配光領域Ｌ１ａ、Ｌ１ｂが観察されるが、この場合、シェード１４ａ、１４ｂの模様も観察される。従って、扉の開閉状態を区別できる。
【００３１】
尚、上述の本発明に係る感圧配光制御装置はパッキンとして冷蔵庫の扉等に接着剤等で貼り付けることができる。
【００３２】
さらに、本発明は上述の実施の形態の自明の範囲のいかなる変更にも適用し得る。
【産業上の利用可能性】
【００３３】
本発明は、冷蔵庫の扉のパッキンに加えて、自動車、電車、航空機等のドア、タンク容器の蓋のパッキンとして利用できる。また、重量物が載る板、簀子、マットの感知発光に利用できる。さらに、面圧を簡易に視覚化できるシートモジュールとしても利用できる。さらにまた、靴に内蔵することにより、足裏のどの部分から着地し離れるかの目視確認に利用できる。
【符号の説明】
【００３４】
１：扁平筒状透明パッキン
１１ａ、１１ｂ、１１’ａ、１１’ｂ：固定プリズム
１１１：傾斜面
１１２：凸状面
１１２’：凸レンズ面
１２ａ、１２ｂ：移動プリズム
１２’ａ、１２’ｂ；１２”ａ、１２”ｂ：移動光学部
１２１：垂直面
１２２：傾斜面
１２２’：凸レンズ面
１３ａ、１３ｂ：溝
１４ａ、１４ｂ：シェード
２：導光板
３：ＬＥＤパッケージ
Ｌ１ａ、Ｌ１ｂ：横方向連続配光領域
Ｌ２ａ、Ｌ２ｂ：縦方向連続配光領域
【図１】
2019087355.tif 000003
【図２】
2019087355.tif 000004
【図３】
2019087355.tif 000005
【図４】
2019087355.tif 000006
【図５】
2019087355.tif 000007
【図６】
2019087355.tif 000008
【図７】
2019087355.tif 000009